(57)【要約】【課題】本発明は、非対称強度分布の光ビームを発生するデバイス（１）を用いて、光記録媒体上に角度多重したピットを記録する装置に関する。【解決手段】本発明によれば、非対称強度分布の光ビームを発生するデバイス（１）は、光ビームの第１の半分の、光ビームの第２の半分に関する、１８０度の位相シフトを引き起こす少なくとも１つの光に影響する部分（３）を有し、光ビームの第１の半分と光ビームの第２の半分の間の境界は、光ビームの光軸の周りに回転可能である。【選択図】図３
2006164499.tif 000002
【特許請求の範囲】
【請求項１】
光記録媒体上に角度多重したピットを記録する装置であって、
非対称強度分布の記録用光ビームを発生するデバイス（１）を含み、該デバイスは、光ビームの第１の半分の、光ビームの第２の半分に関する、１８０度の位相シフトを引き起こす少なくとも１つの光に影響する部分（３）を有し、前記光ビームの第１の半分と前記光ビームの第２の半分の間の境界は、前記光ビームの光軸の周りに回転可能であることを特徴とする装置。
【請求項２】
非対称強度分布の記録用光ビームを発生する前記デバイス（１）が、回折光学素子であることを特徴とする請求項１に記載の装置。
【請求項３】
非対称強度分布の記録用光ビームを発生する前記デバイス（１）を回転させることによって、前記光ビームの第１の半分と前記光ビームの第２の半分の間の境界が、前記光ビームの光軸の周りに回転されることを特徴とする請求項１または請求項２に記載の装置。
【請求項４】
前記回折光学素子は、円のセグメントの形の電極（１０−２５）を有する液晶素子であることを特徴とする請求項２に記載の装置。
【請求項５】
前記液晶素子の前記電極（１０−２５）の半分に電圧を印加することによって、前記光ビームの第１の半分と前記光ビームの第２の半分の間の境界が、前記光ビームの光軸の周りに回転されることを特徴とする請求項４に記載の装置。
【請求項６】
前記液晶素子が、反射型のモードにおいて用いられることを特徴とする請求項４または請求項５に記載の装置。
【請求項７】
前記光ビームが、パルス光ビームであることを特徴とする請求項１〜６のいずれか１項に記載の装置。
【発明の詳細な説明】
【技術分野】
【０００１】
本発明は、非対称強度分布の光ビームを発生するデバイスを用いて、光記録媒体上に、角度多重したピットを記録する装置に関する。
【背景技術】
【０００２】
光記録媒体の記憶容量を増加させるためによく知られた方法は、ピットの基礎構造、すなわち、周期的に並んだピットの角度位置を用いるものである。この技術により、情報のいくつかのビットを単一のピット内に記憶することが可能になる。検出可能な角度信号を発生するために、異なるピットの形、すなわち深さに１つ以上のステップがある、回転された「ロングピット」、回転された「ダブルピット」等が提案されている。例えば、Ｐｈｙｓｉｃｓ  Ｗｏｒｌｄの２００４年１１月号に掲載されている「ＤＶＤ  ｄｉｓｋｓ  ｓｈｉｎｅ  ｆｒｏｍ  ａｌｌ  ａｎｇｌｅｓ」において、３３２の異なる角度のうちの１つに置かれた、ステップの形の角度の基礎構造を有するピットが説明されている。合焦されたレーザービームで光を当てられた、ディスク上の非回転対称の反射性のピット構造は、検出器上に非回転対称のイメージをもたらす。特別な検出器の構造を用いることによって、記録媒体上のピットの角度の基礎構造を検出し、記憶された情報を取り出すことが可能になる。
【発明の開示】
【発明が解決しようとする課題】
【０００３】
本発明の目的は、光記録媒体上に、角度多重したピットを効率的に記録し、角度多重したピットで、ＲＯＭ記録媒体をマスタリングする装置を提案することである。
【課題を解決するための手段】
【０００４】
本発明によれば、この目的は、非対称強度分布の記録用光ビームを発生するデバイスを含む、光記録媒体上に角度多重したピットを記録する装置によって達成され、デバイスは、光ビームの第１の半分の、光ビームの第２の半分に関する、１８０度の位相シフトを引き起こす少なくとも１つの光に影響する部分を有し、光ビームの第１の半分と光ビームの第２の半分の間の境界は、光ビームの光軸の周りに回転可能である。非対称強度の記録用光ビームを発生するデバイス、すなわち回折光学素子を、従来のレーザー記録システムの対物レンズの前に導入することによって、対物レンズの焦点において、非対称強度分布が得られる。これは、非対称ピットの発生につながる。光ビームの第１の半分と光ビームの第２の半分の間の境界を回転することによって、非対称スポットの形もまた回転し、異なる角度でピットを記録することが可能になる。
【０００５】
実際の記録システムにおいては、回転が、非常に短い時間の間に、そして、機械的動きが一切ないまま行われるのが好ましい。これは、パイの一切れ、一切れのように、すなわち円のセグメントのように配置された電極を有する液晶（ＬＣ）素子により実現される。セグメントに一定の電圧を印加することにより、送出された光ビームは１８０°位相シフトする。いくつかのセグメントに、同時に電圧を印加することにより、位相シフトを、光ビームの丁度半分に適用することができる。この場合のセグメントの数が、可能な記録角度の数を決める。全てのセグメントに、（０を含む）同一の電圧を印加することにより、この素子を用いた光ピックアップは、光記録媒体のための通常のシステムと互換性を持つ。
【０００６】
好ましくは、ＬＣ素子は、反射型のモードの中に配置される。この場合、光ビームはＬＣ素子を二度通過し、ＬＣ層の厚さは２分の１に削減可能である。これは、ＬＣ素子のスイッチング時間を削減する。強誘電性液晶との組合わせにより、マイクロ秒の範囲のスイッチング時間が実現する。
【０００７】
本発明による装置で、角度多重したピットを備える読取り専用光記録媒体をマスタリングするために、各ピットのためのフォトレジストをそれぞれ個別に露光する必要がある。マスタリングのための時間を最小化するために、一定の速度でマスタを回転可能であることが好ましい。この場合、好ましくは、パルスレーザーシステム、すなわちパルスダイオードレーザーが採用され、ピット構造が不明確になるのを防ぐ。
【０００８】
追記型または書換可能な光記録媒体上に、角度多重したピットを直接書き込むために、同様の解決法が用いられる。好ましくは、光記録媒体の記録層は、相変化媒体、有機色素、または感光性樹脂で構成される。
【０００９】
より深い理解のために、本発明は、図面に言及する以下の記載において、より詳細に説明される。本発明は、この模範的な実施形態に限定されるものではなく、特定の特徴を、本発明の範囲から逸脱することなく、組合わせおよび／または修正することも可能である。
【発明を実施するための最良の形態】
【００１０】
図１に、本発明による、非対称強度分布の光ビームを発生するデバイス１が示されている。そのようなデバイスは、好ましくは、光記録媒体上に角度多重したピットを記録する装置において使用される。デバイス１は、第１の半分２および第２の半分３を備える回折光学素子である。それにより、第２の半分３を通過する光ビームの部分が、第１の半分２を通過する光ビームの部分に関し、１８０度（π）位相シフトする。第１の半分２および第２の半分３の間の境界は、好ましくは、光ビームの中心を通過、すなわち、光ビームの一方の実質的に半分が回折光学素子１の第１の半分を通過し、一方で、光ビームの第２の半分が第２の半分３を通過する。この場合、光ビームが合焦されると、図２に示される強度分布が焦点スポットに発生する。図からわかるように、非対称強度分布が得られる。この強度分布により、記録媒体上に非対称ピットを記録することが可能になる。回折光学素子を回転させることにより、非対称スポットの形もまた回転し、異なる角度でピットを記録することが可能になる。
【００１１】
好ましくは、回折光学素子の機械的動きがなく、図３に示されるような液晶素子が、回折光学素子を近似する。液晶素子は、円のセグメントのように配置される電極１０−２５を有する。番号１０〜１７の全てのセグメントに電圧を印加することによって、光ビームの一方の半分は、ＬＣ素子により影響される。セグメント１１−１８に電圧を印加することによって、位相シフト構造は、１つのセグメント分、回転する。ピットの可能な記録角度の数は、セグメントの数により決定される。セグメント化された液晶素子の代わりに、電気光学材料のセグメントの回折光学素子を使用することもできる。この場合、電気光学材料は、電圧が印加されたときに、光路長を変化させる。
【図面の簡単な説明】
【００１２】
【図１】本発明による、非対称強度分布の光ビームを発生させるためのデバイスを示したものである。
【図２】図１のデバイスで発生した焦点スポットにおける強度分布を概略的に示したものである。
【図３】本発明による液晶素子の電極の構造を示したものである。
【符号の説明】
【００１３】
１  デバイス
２  第１の半分
３  第２の半分
１０〜２５  電極
【図１】
2006164499.tif 000003
【図２】
2006164499.tif 000004
【図３】
2006164499.tif 000005
【外国語明細書】
2006164499.tif 000006
2006164499.tif 000007
2006164499.tif 000008
2006164499.tif 000009
2006164499.tif 000010
2006164499.tif 000011
2006164499.tif 000012
2006164499.tif 000013